(57)【特許請求の範囲】
【請求項１】
ガス輸送ダクトの内側に設置するための音抑制装置であって、
抵抗型音吸収要素と、
リアクティブ型音減衰要素を提供するハウジングであって、前記リアクティブ型音減衰要素は前記ハウジングの外面内の開口部を介して前記音抑制装置の周囲と連通する、ハウジングとを備え、
前記音抑制装置は、前記音抑制装置の第１の端部から前記音抑制装置の第２の端部までの長手方向に細長い形態を有し、
前記音抑制装置の前記外面は、前記音抑制装置の第１の端部から第２の端部まで空気力学的ガス流を供給するような形状であり、
前記ハウジングは、前記長手方向を含む平面内に、前記長手方向に前記音抑制装置の第２の端部まで先細りになっている外形を有し、
前記音抑制装置の外面は、前記抵抗型音吸収要素の外面および前記ハウジングの前記外面を備え、
前記抵抗型音吸収要素は、前記ハウジングと比較して前記音抑制装置の第１の端部に近い位置に配置構成される、
音抑制装置。
【請求項２】
前記ハウジングは、前記抵抗型音吸収要素から延在する請求項１に記載の音抑制装置。
【請求項３】
前記音抑制装置の前記外面は、前記長手方向を含む第１の平面を中心とする鏡映対称性を有し、
前記抵抗型音吸収要素は、前記第１の平面の両側に抵抗型音吸収表面を提供し、
前記ハウジングは、前記第１の平面の少なくとも一方の側、必要に応じて両側の前記ハウジングの外面と連通するリアクティブ型音減衰要素を提供する請求項２に記載の音抑制装置。
【請求項４】
前記音抑制装置の前記外面は、前記長手方向を含み、前記第１の平面に垂直である第２の平面を中心とする対称性を有し、
前記抵抗型音吸収要素は、前記第２の平面の両側に抵抗型音吸収表面を提供し、
前記ハウジングは、前記第２の平面の少なくとも一方の側、必要に応じて両側の前記ハウジングの外面と連通するリアクティブ型音減衰要素を提供する請求項３に記載の音抑制装置。
【請求項５】
前記抵抗型音吸収要素は、音吸収材料の塊からなる請求項１から４のいずれか一項に記載の音抑制装置。
【請求項６】
前記抵抗型音吸収要素は、支持部材によって支持される音吸収材料の少なくとも１つの層を備え、前記支持部材は必要に応じて前記ハウジングの一部によって実現される請求項１から４のいずれか一項に記載の音抑制装置。
【請求項７】
前記リアクティブ型音減衰要素は、前記ハウジングの空洞を備える請求項１から６のいずれか一項に記載の音抑制装置。
【請求項８】
前記ハウジングの前記開口部には、前記開口部をカバーするか、または前記開口部内にあるように配置構成されている穿孔部分が設けられている請求項１から７のいずれか一項に記載の音抑制装置。
【請求項９】
前記ハウジングの前記外面は、前記穿孔部分を備える請求項８に記載の音抑制装置。
【請求項１０】
前記ハウジングの空洞には、前記リアクティブ型音減衰要素の特性周波数を所定の値に
設定するための仕切り部材が設けられている請求項７から９のいずれか一項に記載の音抑制装置。
【請求項１１】
前記仕切り部材は、前記空洞を、互いに連通する閉端部分と開端部分とに分割するように配置構成され、前記開端部分は前記ハウジングの前記開口部と連通している請求項１０に記載の音抑制装置。
【請求項１２】
前記仕切り部材は、Ｌ字型プレートである請求項１１に記載の音抑制装置。
【請求項１３】
前記リアクティブ型音減衰要素は、前記ハウジングの複数の空洞を備え、前記複数の空洞の各々は、前記ハウジングのそれぞれの開口部と連通している請求項７から１２のいずれか一項に記載の音抑制装置。
【請求項１４】
前記リアクティブ型音減衰要素は、前記ハウジングの複数の開口部と連通する前記ハウジングの空洞を備える請求項７から１２のいずれか一項に記載の音抑制装置。
【請求項１５】
前記音抑制装置に凸端面を設けるために前記音抑制装置の第１の端部のところに配置構成されているキャップ部分を備え、前記キャップ部分は必要に応じて前記ハウジングの一部である請求項２から４のいずれか一項に記載の音抑制装置。
【請求項１６】
前記キャップ部分は、湾曲した端面を前記音抑制装置に提供する請求項１５に記載の音抑制装置。
【請求項１７】
前記抵抗型音吸収要素は、多孔質の音吸収材料、繊維質の音吸収材料、発泡体の音吸収材料、または顆粒状の音吸収材料のうちの少なくとも１つを備える請求項１から１６のいずれか一項に記載の音抑制装置。
【請求項１８】
前記リアクティブ型音減衰要素は、共振空洞である請求項１から１７のいずれか一項に記載の音抑制装置。
【請求項１９】
ガス輸送ダクトであって、
ガスを輸送するための通路を画成する囲まれた溝と、
チューブ内を流れる輸送ガスが抵抗型音吸収要素およびリアクティブ型音減衰要素と相互作用するように、前記通路内に配置構成されている請求項１から１８のいずれか一項に記載の少なくとも１つの音抑制装置とを備えるガス輸送ダクト。
【請求項２０】
前記少なくとも１つの音抑制装置は、前記通路を少なくとも２つの部分通路に分割するように前記通路内に配置構成される請求項１９に記載のガス輸送ダクト。
【請求項２１】
前記少なくとも１つの音抑制装置は、複数の音抑制装置を備え、前記音抑制装置のうちの少なくとも２つは、異なる特性周波数を有するそれぞれのリアクティブ型音減衰要素を備える請求項１９または２０に記載のガス輸送ダクト。
【請求項２２】
前記異なる特性周波数は、オクターブの１／３によって関連付けられている請求項２１に記載のガス輸送ダクト。
【請求項２３】
前記少なくとも１つの音抑制装置は、複数のリアクティブ型音減衰要素が、前記通路の高次伝搬モードパターンに対応するとともに前記リアクティブ型音減衰要素の基本周波数または高調波特性周波数に対応する前記通路を横切る位置に設けられるように、前記通路内に配置構成される請求項１９から２２のいずれか一項に記載のガス輸送ダクト。
【発明の詳細な説明】
【技術分野】
【０００１】
本発明は、音抑制装置(sound suppression apparatus)に関するものであり、特に、ガス輸送用ダクト(gas transport duct)の内側に設置するのに適している音抑制装置に関するものである。本発明は、中に配置構成されている本発明による音抑制装置を有するガス輸送用ダクトも実現し、発電機器の、または石油およびガス産業における、吸気もしくは排気ダクト内に設置するのに特に適している可能性がある。
【背景技術】
【０００２】
多くの産業プロセスが、大量のガスの吸気または排気を必要としている。そのような産業プロセスは、発電、暖房、換気、および空調(HVAC)、強制空冷および吸煙、さらには石油およびガス産業のプロセス、特に燃焼プロセスを含む。
【０００３】
そのようなガスの輸送は、ガスの供給源から排気または使用される必要がある場所まで適切な寸法および構造のダクティングにガスを貫流させることによって通常は達成される。ガス、たとえば、大気の吸気の場合、ガスは、好適な吸気ダクトを介して、場合によっては適当な濾過手段を備える、吸気口からガスが使用されるか、または必要とされる場所まで、輸送される。ガスが排気される場合、ガスは、場合によっては濾過およびスクラビングなどの、様々な処理プロセスを介してそれが生成される場所から、排気ダクトを介して、ガスが排気される排気口まで輸送される。
【０００４】
最初に、燃焼プロセスなどの、ガスを使用するか、または発生するプロセスは、大量の望ましくない騒音を発生し得る。さらに、ガスの輸送率が高くなる場合に、ガスの輸送は、望ましくない騒音の発生を伴い得る。また、ガスを、ガスが生成もしくは消費される場所に引き込むか、または引き出す手段、たとえば、ファンおよび同様のものは、実質的な量の望ましくない騒音それ自体を発生し得る。ダクト内のガスを介してこの騒音を周囲環境に放出することは、望ましくない。特に、健康、安全、および環境への配慮、さらには、関係法令は、プラント事業者、現地労働者、地域住民または野生生物が曝される騒音レベルを制限することが多い。したがって、ガス吸気およびガス排気プロセスに関連付けられている騒音レベルを低減する確実な手段を提供する必要がある。
【０００５】
従来技術において、ダクト内を通るガス流中に存在する音響エネルギーの一部を吸収することができる要素をガス輸送ダクトに設けて、ガス輸送プロセスに付随する騒音レベルを低減することが知られている。そのような実装は、音抑制要素と称されることが多い。
【０００６】
ガス輸送ダクト内の音抑制のための技術の一例は、ダクト内の抵抗型音吸収(resistive sound-absorbing)要素の位置決めを含む。これらの要素は、たとえば、繊維の塊からなるか、または相互接続されている多数の微細孔を有することによって、音波の伝搬に対して抵抗を示す材料から作られる。音波とこの材料との相互作用は、音波から音響エネルギーを吸収し、それをエネルギーの別の形態、典型的には熱に変換する。そのような抵抗型音吸収材料の、シートなどの、部分が、ダクトの内壁に施され、それにより、ダクト内を通るガスから音響エネルギーを吸収することができる。多くの場合、ロックウールまたはグラスウールなどの、抵抗型音吸収材料として使用される材料は、比較的脆く、高速ガスの通過、特に高温での通過によって腐食され得る。したがって、ガスの流れによる腐食により高い耐性を示す、スチールメッシュなどの、穿孔材料の層を使用して抵抗型音吸収材料を壁に当てて固定することが知られている。そのような構成は、英国特許出願公開第2 122 256 A号において開示されている。
【０００７】
抵抗型音吸収材料は、典型的には、吸収材料の厚さが音の1/4波長よりも大きい周波数のみを効率よく吸収する。この限度よりも低い周波数については、音吸収プロセスは、効率がはるかに低くなる。さらに、音吸収プロセスの有効性は、抵抗型音吸収材料を備えるガス流に曝されているダクトの内面の割合、さらにはガス流が抵抗型音吸収材料と相互作用できるダクトの長さとともに高まる。したがって、広い周波数帯域にわたって効率的に抑圧するために、壁領域の比較的大きい割合部分が抵抗型音吸収材料を備えるように抵抗型音吸収材料の大きい厚さ部分が置かれなければならない。これは、ダクトの内部断面積を減少させる傾向がある。
【０００８】
しかしながら、ダクトの内部断面積が減少すると、ガス流速度は、与えられたガス流量に対して増大する。この効果に対抗するためにダクトの内部断面積を増大させると、音吸収性能が低下する。したがって、抵抗型音吸収材料を使用して、ガス流に対して利用可能なダクトの断面を減少させることなく広い周波数範囲にわたって適切な音抑制を達成することを成功させるために、ダクトの外のり寸法は、断面と長さの両方に関して、増大させなければならない。しかしながら、そのようなアプローチは、結果として、ガス処理機器の大きさ、重量、およびそれに対応して、費用を増加させる。
【０００９】
いくつかの状況において、抵抗型バッフル(resistive baffle)をガス流ダクトの内側に設置することが知られている。そのようなバッフルは、ダクトの断面流経路内に設置され、ダクトの断面寸法全体にわたり、本質的にダクトをバッフルの両側の2つの流路に分割することができるか、またはダクトの中心空間内に配置構成されるようにバッフルが設置されるダクトの断面よりも比較的小さい長さを備えることができるかのいずれかである。前者は、スプリッタバッフル(splitter baffle)と称され、後者は、ブリックバッフル(brick baffle)と称され、ときにはバーバッフル(bar baffle)とも称される。そのような抵抗型バッフルの一般的な平面図は、ブリックバッフルか、スプリッタバッフルかに関係なく、図25に示されている。
【００１０】
図25において、バッフル2500は、望ましくない音響周波数の望ましい広帯域低減を達成するために十分な厚さ、長さ、および断面積を有する抵抗型音吸収材料2510の塊を備える。バッフル2500は、ダクトの内側のガス流内に置かれるべきなので、バッフル2500は、接近するガス流に面するように配置構成され、バッフルの両側にガス流を滑らかに分流するために接近するガス流に面して凸面を有するように構成されているキャップ部分2520も備える。キャップ部分2520は、ガス流をバッフル2500の両側に分流することによって、最初に、ダクトを通る滑らかなガス流に対するバッフルの影響を低減し、第2に、抵抗型音吸収材料2510が接近するガスによって腐食される確率を低減するように機能する。キャップ部分2520は、スプリッタバッファの場合に、ページの平面に対して垂直である、バッフルの垂直の高さ全体に広がる一定の断面を有するものとしてよい。いくつかの構成において、キャップ部分2520は、実質的に半円形であるものとしてよく、抵抗型音吸収材料2510の本質的に平行な側と滑らかに連結し得る。いくつかの構成において、抵抗型音吸収材料の塊は、バッフルの外面の一部を画成し得る、メッシュまたは布などのスクリーニング材料によって遮蔽される。そのような構成において、スクリーニング材料は、抵抗型音吸収材料の一部を形成すると考えられ得る。
【００１１】
ブリックサイレンサー(brick silencer)の構成では、図25は、平面図だけでなく、立面図も表すものとしてよく、キャップ部分2520は、半球体ドームの形態をとるものとしてよく、ここでもまた、バッフル2500がガスの移動方向で見た全体的な円形の断面を有する場合に抵抗型音吸収材料2510の平行な周側と滑らかに連結するように形成され得る。他の構成では、バッフル2500は、ガスの移動方向に一般的に正方形または矩形の構成を有するものとしてよく、キャップ部分2520の形状は、適切に選択されるものとしてよい。
【００１２】
キャップ部分2520へのバッフル2500の他端において、フェアリング部分2530は、ダクトを通るガスの滑らかな流れに対するバッフル2500の影響をさらに低減するために設けられている。フェアリング部分は、バッフルを通り過ぎるガスの流れに対する影響を低減するように抵抗型音吸収材料2510の平行な壁に関してわずかなテーパーを有するように製作される。
【００１３】
抵抗型音吸収要素に対する音抑制のための代替的技術は、いわゆるリアクティブ型の、ときには反射的と称される、音減衰要素である。そのようなリアクティブ型音減衰要素(reactive sound-attenuating element)は、凹み、溝、または空洞などの幾何学的特徴部にガス流を通すステップを伴い、その幾何学的形状は、輸送されるガス中で伝搬する音波と反対方向の、および/または逆位相の特性周波数の音波の伝搬を引き起こす。これは、一アプローチでは、ガス流ダクトの音響インピーダンスを変更することによって、たとえば、断面積を拡大し、入射音響エネルギーと反対の位相の特性周波数の反射波を発生することによって達成され得る。代替的に、これは、音波放射源に結合されている音響抵抗を変えることと考えられ得る。
【００１４】
代替的に、ガス流は、異なる長さを有する2つの経路に沿って移動する、2つのガス流に分割されるものとしてよく、各経路の出口のところでの音波の干渉の結果、音響エネルギーが打ち消されるように組み換えられる。ここで、経路長差は、リアクティブ型音減衰要素の特性周波数を定める。さらに代替的に、共振空洞が、直接的または接続溝を介してのいずれかで、流経路に結合されるものとしてよく、共振空洞の寸法および幾何学的形状、さらには共振空洞と流経路との間を連通するチューブの面積および長さは、入射音波によって励起されたときに共振空洞内で発生する波がガス流中の騒音の所望の部分を打ち消すように選択される。そのような共振空洞は、ガス流中の音響エネルギーに対するトラップとしても考えられ、空洞の1つまたは複数の共振モードは、共振器の特性周波数であり、音響エネルギースペクトルの所望の部分を吸収する。特性周波数は、共振器の基本周波数であり得るか、または共振器の高調波周波数であり得る。
【００１５】
共振器音吸収体のよく知られている一構成は、ヘルムホルツ共振器であり、これは細いチューブによってガス流経路に接続されている大きいチャンバーからなる。特性周波数は、チャンバーの幾何学的形状によって定められる。共振器の別の形態は、1/4波長共振器であり、ガス流経路から延在し、抑制されるべき特性周波数の意図された波長の約1/4の長さを有する閉じたパイプからなる。1/4波長共振器の一変更形態は、いわゆる半波長共振器であり、これは真っ直ぐな側部を有するのではなく、ある点に向かって先細りになり、抑制されることが意図されている特性周波数の波長の半分の長さを有するパイプからなる。さらに、1/4波長共振器に類似するパイプからなるが、互いに連通する開端部分と閉端部分とに分割され、溝からの深さが抑制されるべき特性周波数の波長の1/8である、1/8波長共振器がある。
【００１６】
これらのリアクティブ型音吸収体タイプの各々の例は、図24に示されている。図24に示されている構成Aは、いわゆるインピーダンス不整合または拡張共振器であり、ダクトの口径は、反射波を発生するように拡張される。ときには、拡張領域を通り過ぎる安定したガス流を維持するために穿孔材料が拡張領域を覆う。図24に示されている構成Bは、ヘルムホルツ共振器であり、共振空洞は、短いチューブによってガス流ダクトに接続されている。図24に示されている構成Cは、短い閉じたパイプの形態の、1/4波長共振器である。図24に示されている構成Dは、テーパー付きの閉じたパイプの形態の、1/2波長共振器である。図24に示されている構成Eは、分割された閉じたパイプの形態の、1/8波長共振器である。図24に示されている構成Fは、側溝共振器であり、ときには、ハーシェルクインクチューブとも称され、ダクト内のガス流と比較して望ましい経路長差を有する短い側溝の形態を有する。
【００１７】
リアクティブ型音減衰要素は、明確に定められている周波数およびその高調波を抑制することに対して効果的であり得るが、リアクティブ型音減衰要素は、抵抗型吸収体の広帯域音吸収特性を欠いている。さらに、ダクトの壁内にそのような音減衰要素を設けることは、やはり与えられた所望のガス流量に対してダクト寸法を大きくすることを伴い、ダクト内の適切な場所に所望の共振音吸収体を設けるためにダクトの壁の費用のかかるエンジニアリングを必要とする。最後に、ダクトの壁内にそのような音減衰要素を設けるのは、ダクトの高次モードでダクト内を伝搬するより高い周波数を抑制するうえで有効でないが、それは、そのような周波数に関連付けられている音響エネルギーは、ダクトの壁から遠く、したがってダクトの壁との相互作用が少ない、モードパターンでダクトに沿って伝搬するからである。
【００１８】
したがって、国際特許出願公開パンフレット第WO 98/27321Aにおいて、i)壁内に一体化されているリアクティブ型音減衰要素を有するダクティングセクションおよびii)壁内に一体化されている抵抗型音吸収要素を有するダクティングセクションが順次配置構成されるモジュール式ダクトを備えることが提案されている。そのようなアプローチは、抵抗型吸収体による広帯域音抑制および共振吸収セクションによる特定の周波数での音吸収を達成することができるが、そのような構成は、与えられた内部断面積に対するダクトの外部断面積を増加させることを必要とし、したがって、その結果、不可避的に、大きく、重く、高価なダクティングが必要になる。
【００１９】
さらに、ガス輸送ダクトに関連付けられている周波数スペクトルは、ダクトに沿ってガスが輸送される際の流量、ダクトに接続されているガス発生またはガス消費機器、濾過器などの中間ガス処理ユニットの存在、ならびにダクトそれ自体の長さおよび幾何学的形状の組合せの結果生じるものなので、ダクトの一部としてのリアクティブ型および抵抗型音吸収体の実現は、プロジェクトの特定の要件を満たすダクトの設計に際して複雑で、高価なカスタムエンジニアリング作業を必要とする。
【先行技術文献】
【特許文献】
【００２０】
【特許文献１】英国特許出願公開第2 122 256 A号
【特許文献２】国際特許出願公開パンフレット第WO 98/27321A
【発明の概要】
【発明が解決しようとする課題】
【００２１】
ガス輸送ダクト内の望ましくない騒音の制御に対する上で提案されている技術があるにも関わらず、広範囲の望ましくない周波数を抑制することができる音抑制装置、たとえば、高レベルのターゲットとなる低周波制御、さらには高効率での、製造および設置に関して費用効果が高い良好な広帯域性能が必要とされている。
【課題を解決するための手段】
【００２２】
本発明の第1の態様によれば、ガス輸送ダクトの内側に設置するための音抑制装置が実現され、音抑制装置は、抵抗型音吸収要素と、リアクティブ型音減衰要素を提供するハウジングであって、このリアクティブ型音減衰要素はハウジングの外面内の開口部を介して装置の周囲と連通する、ハウジングとを備え、音抑制装置の外面は、抵抗型音吸収要素の外面およびハウジングの外面を備える。
【００２３】
そのようなハイブリッド音抑制装置を実現することによって、抵抗型音減衰要素およびリアクティブ型音減衰要素の両方が、装置の外面を通るガス流と相互作用することができ、抵抗型またはリアクティブ型要素から予期される個別の寄与分を超える音抑制性能は、それによって、得られるものとしてよい。さらに、そのような装置を実現することによって、抵抗型およびリアクティブ型要素は、装置の共通の外面を介してガス流と相互作用し、装置の空気力学的特性は、全体として、通るガス流への望ましくない途絶を最小限度に抑えながら音抑制性能の向上をもたらすように選択され得る。
【００２４】
第1の態様のいくつかの実施形態において、ハウジングは、抵抗型音吸収要素から延在する。
【００２５】
第1の態様のいくつかの実施形態において、音抑制装置は、音抑制装置の第1の端部から音抑制装置の第2の端部までの長手方向の細長い形態を有し、抵抗型音吸収要素は、ハウジングと比較して第1の端部に近くなるように配置構成され、ハウジングは、長手方向を含む平面内に、長手方向に先細りになっている外形を有する。
【００２６】
第1の態様のいくつかの実施形態において、音抑制装置の外面は、長手方向を含む第1の平面を中心とする鏡映対称性を有し、抵抗型音吸収要素は、第1の平面の両側に抵抗型音吸収表面を提供し、ハウジングは、第1の平面の、少なくとも一方の側の、必要に応じて両側のハウジングの外面と連通しているリアクティブ型音減衰要素を提供する。
【００２７】
第1の態様のいくつかの実施形態において、音抑制装置の外面は、長手方向を含み、第1の平面に対して垂直である第2の平面を中心とする鏡映対称性を有し、抵抗型音吸収要素は、第2の平面の両側に抵抗型音吸収表面を提供し、ハウジングは、第2の平面の、少なくとも一方の側の、必要に応じて両側の、両方の側のハウジングの外面と連通しているリアクティブ型音減衰要素を提供する。
【００２８】
第1の態様のいくつかの実施形態において、抵抗型音吸収要素は、音吸収材料の塊からなる。いくつかの実施形態において、音吸収材料の塊は、メッシュまたは布などのスクリーニング材料によって遮蔽される。
【００２９】
第1の態様のいくつかの実施形態において、抵抗型音吸収要素は、支持部材によって支持される音吸収材料の少なくとも1つの層を備え、支持部材は必要に応じてハウジングの一部によって実現される。
【００３０】
第1の態様のいくつかの実施形態において、リアクティブ型音減衰要素は、ハウジングの空洞を備える。
【００３１】
第1の態様のいくつかの実施形態において、ハウジングの開口部には、開口部をカバーするか、または開口部内にあるように配置構成されている穿孔部分が設けられている。
【００３２】
第1の態様のいくつかの実施形態において、ハウジングの外面は、穿孔部分を備える。
【００３３】
第1の態様のいくつかの実施形態において、ハウジングの空洞には、リアクティブ型音減衰要素の特性周波数を所定の値に設定するための仕切り部材が設けられている。音抑制装置が、ダクトを横切る垂直方向に細長く、ダクトを横切る垂線水平方向に比較的狭い、スプリッタの形態をとる場合、そのような仕切り部材は、水平平面内に設けられ得る。
【００３４】
第1の態様のいくつかの実施形態において、仕切り部材は、空洞を、互いに連通する閉端部分と開端部分とに分割するように配置構成され、開端部分はハウジングの開口部と連通している。
【００３５】
第1の態様のいくつかの実施形態において、仕切り部材は、L字型プレートである。
【００３６】
第1の態様のいくつかの実施形態において、リアクティブ型音減衰要素は、ハウジングの複数の空洞を備え、複数の空洞の各々は、ハウジングのそれぞれの開口部と連通する。
【００３７】
第1の態様のいくつかの実施形態において、リアクティブ型音減衰要素は、ハウジングの複数の開口部と連通するハウジングの空洞を備える。
【００３８】
第1の態様のいくつかの実施形態において、音抑制装置に凸端面を設けるために音抑制装置の第1の端部のところに配置構成されているキャップ部分が備えられ、キャップ部分は必要に応じてハウジングの一部である。
【００３９】
第1の態様のいくつかの実施形態において、キャップ部分は、湾曲した端面を音抑制装置に提供する。
【００４０】
第1の態様のいくつかの実施形態において、音抑制装置の外面は、音抑制装置の第1の端部から第2の端部まで空気力学的ガス流を供給する形状をとる。
【００４１】
第1の態様のいくつかの実施形態において、抵抗型音吸収要素は、多孔質、繊維質、発泡体、または顆粒状のうちの少なくとも1つの音吸収材料を備える。
【００４２】
第1の態様のいくつかの実施形態において、リアクティブ型音減衰要素は、共振空洞である。
【００４３】
本発明の第2の態様によれば、ガス輸送ダクトが実現され、これは、ガスを輸送するための通路を画成する囲まれた溝と、囲まれた溝内を流れる輸送ガスが抵抗型音吸収要素およびリアクティブ型音減衰要素と相互作用するように、通路内に配置構成されている本発明の第1の態様による少なくとも1つの音抑制装置とを備える。
【００４４】
第2の態様のいくつかの実施形態において、少なくとも1つの音抑制装置は、通路を少なくとも2つの部分通路に分割するように通路内に配置構成される。
【００４５】
第2の態様のいくつかの実施形態において、少なくとも1つの音抑制装置は、複数の音抑制装置を備え、音抑制装置のうちの少なくとも2つは、異なる特性周波数を有するそれぞれのリアクティブ型音減衰要素を備える。
【００４６】
第2の態様のいくつかの実施形態において、異なる特性周波数は、オクターブの1/3によって関連付けられている。
【００４７】
第2の態様のいくつかの実施形態において、少なくとも1つの音抑制装置が、複数のリアクティブ型音減衰要素は、通路の高次伝搬モードパターンに対応するとともにリアクティブ型音減衰要素の基本周波数または高調波特性周波数に対応する通路を横切る位置に設けられるように、通路内に配置構成される。
【００４８】
本発明の実施形態は、広範囲の望ましくない周波数を抑制することができる音抑制装置、たとえば、高レベルのターゲットとなる低周波制御、さらには高効率での、製造および設置に関して費用効果が高い、良好な広帯域性能を実現し得る。
【００４９】
本発明をよく理解するために、またそれをどのように実行に移すかを示すために、例としてのみ添付図面を参照することにする。
【図面の簡単な説明】
【００５０】
【図１】本発明の第1の実施形態による音抑制装置を示す平面図である。
【図２】ガス輸送ダクト内にスプリッタバッフルとして設置されている図1に図示され図1を参照しつつ説明されている音抑制装置を示す図である。
【図３】本発明の第2の実施形態による音抑制装置を示す図である。
【図４】本発明の第3の実施形態による音抑制装置を示す図である。
【図５】本発明の第4の実施形態による音抑制装置を示す図である。
【図６】本発明の第5の実施形態による音抑制装置を示す図である。
【図７】本発明の第6の実施形態による音抑制装置を示す図である。
【図８】本発明の第7の実施形態による音抑制装置を示す図である。
【図９】本発明の第8の実施形態による音抑制装置を示す図である。
【図１０】本発明の第9の実施形態による音抑制装置を示す図である。
【図１１】本発明の第10の実施形態による音抑制装置を示す図である。
【図１２】本発明の第11の実施形態による音抑制装置を示す図である。
【図１３】本発明の第12の実施形態による音抑制装置を示す図である。
【図１４】本発明の第13の実施形態による音抑制装置を示す図である。
【図１５】第3の実施形態のために提供されているハウジングを示す等軸測視図である。
【図１６】第3の実施形態のために提供されているハウジングを示す分解図である。
【図１７】ブリック構成に適している、第3の実施形態のハウジングの代替的構成を示す図である。
【図１８】図17のハウジングを示す分解図である。
【図１９】本発明の実施形態である音抑制装置を様々な形態のダクティングに設置するためのある範囲のオプションを示す図である。
【図２０Ａ】矩形のダクトに付随する可能な高次モードパターンを示す図である。
【図２０Ｂ】図20Aに示されているモードパターンに適している本発明の実施形態の適切な一配置を示す図である。
【図２１】本発明の実施形態をより広い範囲の周波数の音抑制を行うようにダクト内で組み合わせ得る仕方を示す図である。
【図２２】抵抗型バッフル構成を本発明の一実施形態による音抑制装置と比較する比較テストデータを示す図である。
【図２３】一対の抵抗型バッフルを隣接する第3のオクターブで同調されている本発明の一実施形態による一対の音抑制装置と比較する比較テストデータを示す図である。
【図２４】当技術分野で知られているような異なるタイプのリアクティブ型音減衰要素を示す図である。
【図２５】知られているバッフル構成を通る断面を示す図である。
【発明を実施するための形態】
【００５１】
本発明の第1の実施形態によれば、図1に示されているような音抑制装置が実現される。
【００５２】
図1は、図25のバッフル2500に類似する構成を有する音抑制装置100を示している。構成が、同じか、または類似している場合、さらなる詳細は示されず、読者は、図25のバッフル2500の対応する要素を参照されたい。
【００５３】
音抑制装置100は、図25に示されているバッフル2500と似た方式で、ガス流Gの上流方向のキャップ部分120とガス流Gの下流方向に配置構成されているハウジング130との間に配置構成されている抵抗型音抑制材料110の塊を有する。
【００５４】
図25のバッフル2500の場合と同様に、図1に示されている断面において、抵抗型音吸収材料は、真っ直ぐな、一般的に平行な側面を有し、これにより、ガスは滑らかに流れ、空気力学的に通り過ぎるようにできる。空気力学的流れは、本明細書で説明されているように、音抑制装置の伸長の方向の実質的な層流を指す。キャップ部分120は、入射ガス流の方向に凸状であり、これにより入射ガスは音抑制装置100の周りで滑らかに、空気力学的に流れるようにできる。抵抗型音吸収材料110は、たとえば、多孔質、繊維質、発泡体、または顆粒状の音吸収材料であってよい。好適な材料は、ロックウール、グラスウール、バソールトウール、または軽石などの人工もしくは天然多孔質セラミックを含み得る。他の構成では、キャップ部分120は、正方形、隅が丸い正方形、三角形、円錐形、またはピラミッド形であってよい。
【００５５】
しかしながら、図25の構成とは対照的に、図25のバッフル2500が、フェアリング部分2530を有している場合、音抑制装置100は、ガス流方向に抵抗型音吸収材料110の下流に配置構成されているハウジング130を有する。ハウジング130は、ハウジング130がガス流を音抑制装置100の下流で滑らかに、空気力学的に流せるようにするテーパー付き部分133を備えているという点で、フェアリング2530に類似する機能を有するが、ハウジング130は、また、テーパー部分133を備える抵抗型音吸収材料110の下流端を接続する直線部分132も有する。ハウジング130は、代替的構成において、入射ガス流の方向から見たときに断面が一般的に正方形、隅が丸い正方形、三角形、円錐形、またはピラミッド形の構成をとるものとしてよい。
【００５６】
直線部分132では、穿孔部分131aおよび131bは、音抑制装置の対向する側に配置構成され、その穿孔部分は、音抑制装置の外部とハウジング130の内部空間との間で連通する開口部を画成する。ここで、開口部は単一の連続する開口または複数の穿孔のいずれかを通して、ガスが通過できる表面の一領域として画成される。穿孔は、流れの音響透過性と効果的な誘導との間の適切なバランスに関して、たとえば、少なくとも20%、少なくとも30%、多くても80%、多くても70%、多くても60%、多くても50%、または多くても40%、必要に応じて10%から80%の範囲内、さらに必要に応じて20%から60%の範囲内、なおもさらに必要に応じて22%から40%の範囲内の穿孔領域における開口領域のパーセンテージをもたらし得る。穿孔は、同一であり、たとえば、多角形もしくは円形であり得るか、または可変形状および寸法を有し得る。穿孔部分131aおよび131bは、ハウジング130の高さの実質的全体に延在するが、いくつかの構成では、穿孔部分は、ハウジング130の高さ全体のある割合だけ、たとえば、ハウジング130の高さの少なくとも30%、40%、50%、60%、70%、80%、または90%にのみ延在し得る。代替的に、穿孔部分は、ハウジング130の高さの多くても30%、40%、50%、60%、70%、80%、または90%に制限され得る。ハウジング130の各側の穿孔部分は、連続的であり得るか、垂直方向に離散的な分離された穿孔領域として設けられ得る。
【００５７】
図1に示されている断面において、ハウジング130は、上流端面132c、真っ直ぐな側壁132aおよび132b、テーパー側壁133aおよび133b、ならびに後端面133cによって囲まれている。平行な、および対抗する真っ直ぐな側壁132aおよび132bは、直線部分132を画成し、テーパー側壁133aおよび133bは、各々7.5°のテーパー角度を有し、後端面133cと一緒に、テーパー部分133を画成する。
【００５８】
後端面133cは、平坦であるように図示されているが、この表面は、たとえば、外向き凸面として形成され得るか、またはテーパー側壁133aおよび133bが後点に収束する場合にはまったく存在しないものとしてよい。テーパー部分133の正確な構成は、音抑制装置100が挿入されるべきダクト内の予期されるガス流に適したものとなるように空気力学的考慮事項に基づき選択され得る。
【００５９】
本発明の構成において、音抑制装置100は、対称Sの平面に関して紙の断面平面内に一般的に対称的な形態を有し、これは紙の平面に垂直に延在し、ガス流Gの方向を含む。一般的に対称的な外形を備えることによって、ガス流の非対称的な空気力学的力および分流が回避され、したがって、ガス流に対する影響は、低減される。しかしながら、いくつかの用途では、たとえば、翼型の外形を用いることで、特定の方向へのガス流の分流を助けるために非対称的な形態が採用され得る。
【００６０】
第1の構成において、図1の実施形態は、スプリッタとして使用するために提供されており、音抑制装置100が設置されることを意図されているダクトの内部断面とマッチするようにページの平面に垂直な方向に広がりを有する。そのような構成において、音抑制装置100が付けられるダクトの内壁は、他の何らかの形で壁132a、133a、133c、133b、132b、および132cによって画成される、空隙134を取り囲む表面を画成し得る。代替的に、端(頂部および底部)壁は、それぞれ紙の平面の上および下にハウジング130の図面形状に似ている形状を有し、ハウジング130の壁132a、133a、133c、133b、132bおよび132cによって他の何らかの形で取り囲まれている空隙134を取り囲むように備えられ得る。そのような端壁は、相互に平行であり、ページの平面に対して平行であるものとしてよい。
【００６１】
音抑制装置100が、これが設置されるダクトの断面領域全体に及ぶようにページの平面に対して垂直に延在する場合に、キャップ部分120および抵抗型音吸収材料110も、ハウジング130と同じようにしてダクトの内部断面の広がり全体にわたって延在し得る。しかしながら、いくつかの構成において、抵抗型音吸収材料110は、ダクトに架かる音抑制装置100の高さの割合に合わせてのみ設けられるものとしてよく、プレート領域は、望みどおりに、ダクトの壁のところまで延在するように抵抗型音吸収材料の両側にダクトの断面方向に設けられ得る。
【００６２】
図2は、スプリッタとして機能する、立面図で示され、ダクトDの断面の広がりX全体にわたって設置されている、図1の実施形態のそのような1つのそのような構成の一例を示している。ガス流Gは、図2の左側から入射し、キャップ部分120に衝突し、ページの上の方向と下の方向とに分割され、音抑制装置100の両側を通る。
【００６３】
代替的一構成において、音抑制装置100は、ダクトの断面寸法Xの全体に延在している必要はなく、そのような場合に、ハウジング130は、適切な頂部および底部プレートによって閉じられるべきであり、空隙134は、四方を取り囲まれる。
【００６４】
図25に示されているバッフル2500とは対照的に、穿孔部分131aおよび131bを介してハウジング130の外面と連通し、それによって音抑制装置100を通るガス流Gと連通する内部空洞134を有するハウジング130を設けることによって、音抑制装置を通るガス流中の選択された音響周波数の強度を低減するように作用するリアクティブ型音減衰要素が実現される。図1に示されている構成において、空隙134は、本質的に閉鎖空間であり、穿孔部分131aおよび131bによって流れているガスに接続され、上流端面132c、真っ直ぐな側壁132aおよび132b、テーパー側壁133aおよび133b、ならびに後端壁133cによって囲まれている。空隙134は、共振器チャンバーとして働き、その特性周波数は流れているガス中で低減されるべき音響周波数に対応する。
【００６５】
本発明の構成において、ハウジングのそれぞれの側の穿孔領域のサイズおよび形状は、空隙内への音伝搬の方向を横切る空隙134の断面領域に実質的に対応する。本発明の構成において、これは、入射ガス流の方向を横切って取った空隙134の断面領域である。そのような構成は、空隙によって画成される共振器内へのガス流中の音響エネルギーの結合を高めることができる。
【００６６】
空隙134がハウジング130の幾何学的形状を調整することによって作用する特性周波数を変えることが可能である。たとえば、上流端面132cから後端面133cまでのハウジングの寸法を長くすることは、共振周波数を下げる傾向がある。テーパー部分133および直線部分132の相対的長さ、さらにはテーパー部分のテーパー角度を調整することでも、同調を調整し、また共振ピークの帯域幅も調整する。そのような調整は、簡単な実験および音響設計に基づき達成するために十分に当業者の技術の範囲内にあると考えられる。特に、後壁の方へ7.5°のテーパー角度は、良好な空気力学的性能を保持しながら、1/4波共振器の特性周波数と1/2波共振器の特性周波数との間にある特性周波数を有する共振構造をもたらす。後点に収束する構成の場合、空洞は、1/2波共振器に対応し得る。
【００６７】
共振空隙134の有効性を、空隙134内に水平に、すなわち、図1の平面図の平面内に置かれている仕切り板139a、139bにより、それを図2に示されているように図2において空隙134a、134b、および134cとして図示されている部分空間に分割することによって改善することも可能である。そのような構成は、本質的に、共振容積Vを有する空隙の代わりに、平面図内で類似の幾何学的形状の、ただし適切にV/3のそれぞれの個別の容積を有する3つの共振容積をもたらす。積み重ねたそのような容積の配置構成は、1つの共振空洞をダクトの内側の垂直配向モードパターンの各対応する節について設けて、平面波領域よりも高い周波数を制御することを可能にする。
【００６８】
図1の構成において、それぞれの対向する真っ直ぐな側壁132aおよび132bにおいて、ハウジング130の、図1の平面図内の、両側に配置構成されている2つの穿孔部分が設けられる。しかしながら、図1のスプリッタ構成において、そのような穿孔部分を一方の側または他方の側にのみ配置構成することも可能であり、対応する部分はなく、連続する壁で置き換えられる。ブリック構成が設けられるときに、そのような穿孔部分は、入射ガス流の方向に沿って見たときの断面内のすべての周囲表面上に、または周囲表面のうちのいくつかにのみ設けられ得る。代替的に、穿孔部分ではなく、穿孔のある被覆のない開口部が設けられ得る。
【００６９】
開口部ではなく穿孔部分を設けることで、共振システム内に減衰を持ち込み、共振ピークを広げ、空洞のより容易な同調、および特性周波数の両側でのより大きい周波数範囲にわたる音響エネルギーの吸収を可能にすることが観察されている。さらに、そのような減衰の存在により、共振器の望ましくないガーガーピーピー言う音が発生する可能性が低減される。最後に、穿孔部分を使用することで、穿孔部分を備えるハウジングの表面積の割合が大きいときであっても、良好な空気力学的外形を維持することができる。穿孔部分は、真っ直ぐな側壁132aおよび132bを作る材料に穿孔を設けることによって、または真っ直ぐな壁132aおよび132b内に形成された対応する開口をカバーするか、または開口内にあるように穿孔メッシュを設けることによって実現され得る。
【００７０】
図1の構成において、ハウジング130は、抵抗型音吸収材料110の下流に設けられるが、代替的構成も、可能である。特に、抵抗型音吸収材料110の下流にリアクティブ型音減衰要素のないフェアリングを設けること、およびキャップ部分120と抵抗型音吸収材料110との間の抵抗型音吸収材料110の上流に、図1の直線部分132によって取り囲まれている空間に対応する、ハウジングの外面と連通するリアクティブ型音減衰要素を備えるハウジングを置くことが可能である。さらに、2つのそのようなハウジングをガス流の方向で抵抗型音吸収材料110の両側に置き、リアクティブ型音減衰要素、すなわち、共振チャンバーが、抵抗型音吸収材料の上流および下流の両方に設けられるようにすることが可能である。
【００７１】
好ましくは、空気力学的な理由から、図1に示されている断面内の外面全体は連続的であり、階段状変化または鋭角がない。これは、音抑制装置100の上のガスの滑らかな、空気力学的流れを達成することを助ける。しかしながら、適切なサイズの間隙、たとえば、5mm未満、好ましくは3mm未満の間隙が、空気力学的特性に実質的な影響を及ぼすことなくハウジング130と音吸収材料110との間および/または音吸収材料110とキャップ部分120との間に存在し得る。
【００７２】
図1の実施形態は、共振音吸収体を参照して説明されているが、拡張チャンバーまたは側溝などの図25に示されているような別のリアクティブ型音吸収体は、ハウジングの外面と連通するハウジング内に設けられ得る。しかしながら、図1に示されているような共振チャンバーの使用は、空間効率および比較的容易で予測可能な特性周波数制御の点で特に有利である。
【００７３】
図1に示されているような音抑制装置100を実現することによって、抵抗型音吸収材料の広帯域音響エネルギー吸収効果は、空隙134によって形成される共振チャンバーとして実現されるリアクティブ型音減衰要素の特性周波数減衰特性と組み合わされ、良好な全体的騒音防止性能をもたらす。装置100は、また、図25の従来のバッフルと同様の影響をダクト内の流れにもたらすだけであり、ダクトそれ自体の修正を必要とせず、様々なダクトに合う標準的な形状およびサイズで実現することができ、新しいプロジェクトのために従来のダクティング内に容易に設置することができるか、または既存のダクティングに合わせて改造して追加の減衰をもたらすようにすることができ、しかも、ダクトそれ自体のサイズ、重量、またはエンジニアリングの複雑さの増大を必要としない。したがって、図1に示されているような音抑制装置100は、本開示を考察している当業者であれば気付くであろうが、多数の技術的利点、効果、および技術的問題に対する解決方法をもたらし得る。
【００７４】
代替的構成において、図25のバッフル2500と同様にして、音抑制装置100は、スプリッタタイプのバッフルとしての構成で、またブリックタイプのバッフルとしての構成で実現されるものとしてよく、たとえば、ダクト内に吊り下げられるか、または他の何らかの形に配置構成されるように、矩形、正方形、多角形、または円形の断面外形を有する。スプリッタタイプの消音器ではなく、ブリックタイプの音抑制装置が実現される場合、抵抗型音吸収材料は、接近しているガスの方向から見たときに音吸収装置の一方の側にのみ、音吸収装置の両側に、音吸収装置の頂部および底部側に、または音吸収装置の周全体に配設され得る。そのような場合、必要に応じて、空隙134と連通する穿孔部分または開口は、消音器の外面上の抵抗型音抑制材料の表示とマッチするように設けられ得るか、またはガス流の方向から見た断面外形の代替的または異なる領域に設けられ得る。
【００７５】
図3は、本発明の第2の実施形態を示しており、第1の実施形態の要素が1XXというラベルを付けられた場合に同じ、または類似の部分は3XXというラベルを付けられた要素によって表されている。図3の実施形態は、図3の実施形態がハウジング330の空隙334内に位置決めされた抵抗型音吸収材料335も含むことを除き、図1の実施形態に非常によく似ている。抵抗型音吸収材料は、抵抗型音吸収要素310において使用されるものと同じであるか、または異なり得る。シートの形態で後端壁333cの内面上に位置決めされている図3の多孔質吸収材料335が図示されているが、他の配置構成も可能である。たとえば、多孔質吸収材料335は、壁332a、333a、333b、332b、または332cのうちの1つまたは複数に沿って配置構成され得る。いくつかの場合において、空隙334は、低密度ロックウールなどの、緩く充填された吸収材料で全体をまたは一部を充填されているものとしてよい。穿孔部分331aおよび331bのように、抵抗型音吸収材料335の効果は、共振ピークを広げ、それによって、ハウジング330によって画成されたリアクティブ型音減衰要素が有効である特性周波数の両側で周波数の範囲を広げることである。
【００７６】
図4は、本発明の第3の実施形態を示しており、第1の実施形態の要素が1XXというラベルを付けられた場合に同じ、または類似の部分が4XXというラベルを付けられた要素によって表されている。図4の配置構成は、図1の配置構成に非常によく似ている。
【００７７】
図4の配置構成において、ハウジング430の内側に、たとえば、穿孔開口部431aの後方の位置のハウジング430の壁432aから延在するL字型プレートの形態の、仕切り部材436が位置決めされている。仕切り部材432aは、紙の平面に垂直な方向にハウジング430の全高にわたって延在し、空隙434を部分434dおよび434eに分割し、これらは仕切り部材432aと後端壁433cとの間に画成される開口434fを通して連通する。空隙434eは、穿孔開口部431aおよび431bと連通し、仕切り部材432aは、空隙434dの一方の端部を閉じる。したがって、仕切り部材432aが存在するので、空隙434の有効共振長は、おおよそ倍になり、共振周波数は、それに対応して減少する。図4の構成は、したがって、ハウジング430を後方に延在させるのが望ましくないか、または実用的でない場合に使用できるが、比較的低い周波数で動作する共振器が必要になる。
【００７８】
仕切り部材432aの形状は、修正されるものとしてよく、仕切り部材432aは、たとえば、後端壁433cに向かって後方にある角度で壁432aから、たとえば、延在する単一のプレートとして、または壁432aから内向きに延在し、後端壁433cの方へ湾曲するように設けられた湾曲したプレートとして、設けられ得る。
【００７９】
図5は、仕切り部材、さらには空洞内に位置決めされた多孔質吸収材料を有する、第2および第3の実施形態の特徴部を組み合わせる、本発明の第4の実施形態を示している。図5において、同じ、または類似の部分は、5XXというラベルを付けられた要素によって表され、第2の実施形態の要素は3XXというラベルを付けられ、第3の実施形態の要素は4XXというラベルを付けられた。
【００８０】
図6は、本発明の第5の実施形態を示しており、第1の実施形態の要素が1XXというラベルを付けられた場合に同じ、または類似の部分は6XXというラベルを付けられた要素によって表されている。図6に示されている音抑制装置600は、図1に示されている第1の実施形態に類似している。しかしながら、抵抗型音吸収材料は、単一の均一な塊としては設けられないが、むしろ、ガス流の方向に関して音抑制装置600の両側に備えられ、支持部材611によって支持されている2つのプレート610a、610bの形態で設けられる。
【００８１】
プレート610aは、所望の範囲の周波数を吸収する十分な厚さを有し、支持部材611によって支持される。支持部材611は、抵抗型音吸収材料が設けられている対向する表面611aおよび612aを備える中空部材であってよい。代替的に、支持部材611は、それ自体、構造に著しい重量を加えることなく抵抗型音吸収材料610aおよび610bを支持する強く、それにもかかわらず軽量のメッシュ材料、気泡材料、または足場から形成され得る。そのような構成は、音抑制装置が抵抗型音吸収要素内に設けられるべき抵抗型音吸収材料の厚さに関して大きい全体寸法を有する必要があるときに、好ましいと言える。
【００８２】
図7は、図6の第5の実施形態に基づき本発明の第6の実施形態を示している。図7の実施形態において、第5の実施形態の要素が6XXというラベルを付けられた場合に同じ、または類似の部分は7XXというラベルを付けられた要素によって表され、音抑制装置700は、リアクティブ型音減衰要素を備え、そのハウジングは、図6の支持部材611によって占有される空間内に貫入する。抵抗型音吸収材料710aおよび710bが当接するように配置構成されている側壁711aおよび712aは、エンドキャップ720の方へ、ハウジング730の壁732cからハウジングの上流端を画成するハウジング730の壁732dの方へ延在し、壁732dの上流側への空間はエンドキャップ720によって取り囲まれている。したがって、空隙734は、キャップ720の方へ、端壁732dに届くまで延在する。空隙734が音抑制装置の表面と連通することを可能にする、穿孔部分731aおよび731bは、図1の位置と同じ位置に設けられる。しかしながら、この構成において、これらは、また、ガス流Gの方向に沿って後ろ向きに移動され、たとえば、ハウジング730のテーパー付き部分733の壁733aおよび733b上に位置決めされ得る。
【００８３】
関係する構成において、さらなる仕切りは、空隙734に関連する特性周波数を調整するのに望ましいように壁732dと732cとの間でハウジング730に設けられ得る。
【００８４】
図7の構成は、装置の全長を維持しながら音抑制装置の共振空洞と非常に低い周波数との相互作用が可能になるように非常に大きい共振空洞を実現することを可能にする。
【００８５】
図8は、音抑制装置の第7の実施形態を示しており、これは図7の第6の実施形態の修正された形態であり、第6の実施形態の要素が7XXというラベルを付けられた場合に同じ、または類似の部分は8XXというラベルを付けられた要素によって表されている。図8の第7の実施形態は、先端エンドキャップ720によって取り囲まれている空間から空隙734を分離する壁732dが取り除かれている図7に示されている第6の実施形態と異なり、音抑制装置800の全長は、共振空洞として利用することができる。
【００８６】
図9は、本発明の第8の実施形態を示しており、これは図6の第5の実施形態の修正された形態であり、第5の実施形態の要素が6XXというラベルを付けられた場合に同じ、または類似の部分は9XXというラベルを付けられた要素によって表されている。図9の第8の実施形態は、図6の支持部材611によって取り囲まれている空間からエンドキャップを分離する壁が取り除かれ、図9のエンドキャップ920は、支持部材912の内側に画成されている空隙921がさらなるリアクティブ型音減衰要素の共振チャンバーとして使用できるように穿孔されているという点で、図6の第5の実施形態と異なる。次いで、このさらなるリアクティブ型音減衰要素の共振チャンバーは、壁912a、912b、912c、およびエンドキャップ920によって画成され、空隙の寸法は、特性周波数を選択するように選択され得る。
【００８７】
したがって、図9の構成は、2つのリアクティブ型音減衰要素を実現し、その際に穿孔開口部931aおよび931bを介して音抑制装置900の外面と連通する密閉空間934を画成するハウジング930も考慮する。
【００８８】
もちろん、図9の構成において、図9に示されているように表面全体ではなくエンドキャップ920の側部分のみまたは先端部分が穿孔されていてよい。
【００８９】
関係する構成において、壁912cの位置は、エンドキャップ共振器と関連する特性周波数を調整するように調整され得る。それに加えて、または代替的に、さらなる仕切りは、空隙934に関連する特性周波数を調整するのに望ましいように壁912cの下流でハウジング930に設けられ得る。
【００９０】
図10は、第9の実施形態を示しており、第1の実施形態の要素が1XXというラベルを付けられた場合に同じ、または類似の部分は10XXというラベルを付けられた要素によって表されている。図10の第9の実施形態において、エンドキャップは設けられていないが、その代わりに、多孔質材料1010は、入射ガス流Gの条件を満たすように音抑制装置100の前端まで延在する。この構成において、入射ガス流との相互作用により広い表面積が利用可能である。しかしながら、図10の構成は、抵抗型音吸収材料1010が入射ガス流による腐食の影響を特に受けやすいときにあまり適切でなくなり得る。そのような状況では、図10の構成を使用するときに、多孔質材料1010を、キャップ部分が設けられた場合よりも頻繁に交換する必要が生じ得る。
【００９１】
図4の第3の実施形態に基づく本発明の第10の実施形態が図11に示されている。第3の実施形態の要素が4XXというラベルを付けられた場合に同じ、または類似の部分が11XXというラベルを付けられている要素によって表されている、図11の実施形態は、ハウジング1130によって取り囲まれている空隙1134を2つのセクションに分割する仕切り部材1136を含む。しかしながら、図11の実施形態は、真っ直ぐな壁432aおよび432bによって囲まれている直線部分が存在していないという点で図4の配置構成と異なる。むしろ、テーパー付き壁1133aおよび1133bは、穿孔開口部1131aおよび1131bから後方に延在する。図11の構成は、音抑制装置が比較的短いときに特に好ましいものとしてよく、最小の途絶となるように消音器を通り過ぎるガス流を最適化する必要がある。さらなる変更形態において、穿孔開口部1131aおよび1131bは、テーパー付き壁に設けられるものとしてよく、ハウジング部分全体がテーパー付きである。
【００９２】
図12は、図4の実施形態に類似する本発明の第11の実施形態を示しており、第3の実施形態の要素が4XXというラベルを付けられた場合に同じ、または類似の部分は12XXというラベルを付けられた要素によって表されているが、仕切り部材1236の代替的構成が使用されている。図12において、仕切り部材1236は、ハウジング1230内に含まれる空隙1234を2つの相互連通する空隙に分割するようにページの平面に垂直なプレートとして1233cの方に延在する。しかしながら、図12の構成は、接近するガス流の方向に関してハウジング1230の一方の側に穿孔開口部1231のみを示し、仕切り1236の一方の側の空隙1234の側部の端部は、他方の側の空隙が閉じられている間に穿孔開口部1231を介して音抑制デバイスの外面と連通し、これら2つの空隙は、仕切り部材1236が図12に示されている後部端壁1233cまで延在しないので互いに連通する。仕切り構造1236は、一般的にプレートの形態を有し、好ましくは、ページの平面に垂直な方向に音抑制装置1200の全高にわたって延在する。図12の構成は、空隙1234の共振長が増大し、特性周波数が減少するという点で、図4の構成に類似する効果を有する。
【００９３】
本発明の第12の実施形態が図13に示されており、第3の実施形態の要素が4XXというラベルを付けられている場合に同じ、または類似の部分は13XXというラベルを付けられた要素によって表されている。図13に示されている音抑制装置は、共振空洞の長さに関して仕切り部材1333eは存在していなかった場合に、ハウジング1330内に画成されている共振空隙1334が、ページの平面の上および下に、ならびに空隙1336の断面幅にわたって延在し、空隙によって形成される共振空洞を短縮するように配置構成されている、追加の仕切り部材1333eによって短縮される点を除き、図4に示されている音抑制装置400に類似している。図13の構成は、テーパー付きハウジングセクション1330によってもたらされる空気力学的利点を阻害することなく空洞の共振周波数を高くすることを可能にする。仕切り部材1333eは、穿孔開口部1331aおよび1331bの方に向かって望ましい程度で前方に配置され得る。そのような構成は、上で述べたような後端壁によってもたらされる共振特性を保存するためにテーパー付き部分がある点に収束する構成で特に採用され得る。
【００９４】
いくつかの構成において、仕切り1333eと後部端壁1333cとの間に設けられているさらなる空隙は、先行する実施形態のどれかにおいて示されているタイプのさらなるリアクティブ型音減衰要素を実現するために使用され得る。さらなる共振器を有するそのような構成は、図9に示されている第8の実施形態に類似する方式で、2つの周波数が2つの適切に同調された空洞共振器によって扱われるようにできる。
【００９５】
図14は、ハウジング1430内にさらなる修正された共振器構成を有する、本発明の第13の実施形態を示している。図14の構成は、2つのL字型仕切り部材1434a、1434bを備え、一方は壁1432aから内向きに延在し、次いで後端壁1433cに向かい後方に延在し、他方はテーパー付き壁1433bから内向きにテーパー付き壁1433aの方へ延在し、次いで、端壁1432vに向かい前方に延在する。図14に示されているように2つの仕切り部材を備える効果は、共振空洞1434内の共振経路を長くし、それにより、非常に低い周波数を扱えるようにできる。仕切り部材1436aおよび1436bは、ページの平面に垂直である音抑制装置1400の全高にわたって延在するL字型部材として設けられているが、当業者であれば理解するように、他の形態の共振器も可能である。
【００９６】
図1〜図14は、ガス輸送ダクトの内側に設置するのに適している、抵抗型音吸収要素とリアクティブ型音減衰要素との組合せを有するハイブリッド音抑制装置の多くの変更形態および構成を例示している。たとえば、限定することなく、ヘルムホルツ共振器、サイドチャネル、または拡張領域などの他のリアクティブ型音吸収構造は、ハウジングによって、リアクティブ型音吸収要素として実現され得る。当業者であれば認識するように、各上記の実施形態において説明されている様々な特徴は、限定することなく、1つまたは複数の所定の特性周波数の所望の抑制さらには広帯域抑制を達成するために組み合わされ得る。
【００９７】
次に図15を参照しつつ、図4に示されているハウジング430を製作するための例示的なプロセスが説明される。図15に示されているように、ハウジング430は、前縁壁432c、後縁壁433c、前縁壁432cの側縁から後方に延在する第1の真っ直ぐな側壁432aおよび第2の真っ直ぐな側壁432b、ならびにそれぞれ壁432aおよび432bの後縁端から延在し後縁壁433cで終端するテーパー壁433aおよび433bによって画成される。ハウジング430の頂部および底部は、ここで、ハウジング430の図面外形とマッチする形状を有する、頂部プレート437a、および対応する外形を有する底部プレート437bとして示されている。ハウジング430によって画成される空隙434の内側に、側壁432aから延在するL字型仕切り部材436が設けられる。穿孔部分431aおよび431bは、ハウジング430の外面とハウジング430内に画成された空隙434との間で連通する真っ直ぐな壁部分432aおよび432bの前縁端のところで対応する開口部内にあるように、または上に載るように配置構成されている分離したプレート要素として実現される。
【００９８】
図15に示されている構成は、図15に示されている音抑制装置の高さHに類似する断面の広がりを有する適切なサイズのダクト内のスプリッタとして、または代替的に、高さHよりも大きい高さを有するダクト内のブリック消音器として使用するのに適している。図15に示されているハウジング430が、スプリッタ構成において使用されることを意図されている場合、頂部および底部プレート437aおよび437bは、省くことができ、ハウジング430aが配置構成されて当接すべきダクトの壁は、たとえば、溶接によって空隙434を適切に封止し得る。しかしながら、スプリッタ構成であっても望ましく、構造的完全性を改善し、設置をより容易にし、ダクト断面の熱膨張の余裕を見るために頂部および底部プレート437aおよび437bが設けられ得る。
【００９９】
図16は、図15に示されているハウジング430に対する製作プロセスを示している。前縁壁432cは、穿孔部分431aおよび431bが配置構成されている壁432bの前縁部分と一緒に、鋼板のような曲がった金属板から形成される。壁432aの後縁部分も、テーパー付き部分壁433aおよび後縁壁433cの1/2と一緒に曲がった金属板から形成される。対応する部分は、テーパー壁433bおよび後縁壁433eの他端と一緒に壁432bの後縁部分を含む曲がった金属板から作られる。頂部および底部プレート437aおよび437bは、それぞれの壁部分と溶接するために内向きに突出する垂直に形成されたタブとともに金属板から形成され、それにより、エアスルー多孔質パネル431aおよび431bの許容される連通を除き、硬い実質的に気密のエンクロージャを形成する。
【０１００】
図17は、ブリック構成で使用するのに特に適している、図15の配置構成の代替的構成を示している。図17の構成において、追加の穿孔パネル432cおよび432dは、頂部および底部プレート437aおよび437b内に設けられ、後縁セクション433は、後縁端433cに収束する壁433a、433b、433d、および433eとともに先端を切り取った正方形に基づくピラミッドとして形成される。したがって、図17の構成は、長手軸を含む直交平面(垂直および水平平面)を中心とする鏡映対称性を備える実質的に対称的な外部構成を有し、これにより図17の構成は、ガスの接近方向から見たときに矩形の外形を有する。
【０１０１】
本発明の音抑制装置は、図19に示されているように、様々な構成でダクトD内に設置され得る。特に、図19は、様々な異なる音抑制装置が中に設置され、様々な音抑制装置は上で説明されている実施形態および変更形態に対応する、様々な異なるタイプのダクトに沿ったガス輸送方向の一連の図面を示している。
【０１０２】
図19の構成Aは、正方形のダクト内に配置構成される2つのスプリッタを示している。図19の構成Bは、正方形のダクト内に配置構成されているブリック形態の4つの音抑制装置を示している。構成Cは、円形のダクト内に配置構成されている円形ブリック(またはポッド)音抑制装置を示している。構成Dは、円形のダクト内に配置構成されているスプリッタ構成の2つの音抑制装置を示している。構成Eは、9つの音抑制装置を示しており、そのうちの5つは、正方形のブリック構成であり、そのうちの4つは、丸いダクト内に配置構成されている三角形のブリック構成である。多くの他の変更形態は、本発明の実施するときに当業者によって考察され得る。
【０１０３】
改善された効果を得るために、音抑制装置は、音抑制装置が減衰するように構成されている周波数に対して伝搬モードパターンと対応して配置構成されるべきである。
【０１０４】
比較的低い周波数では、音波の1/2波長がダクトの最小断面寸法よりも大きいときに、音波は平面波としてダクト内を伝搬する。しかしながら、周波数が高くなるにつれ、音波の1/2波長は減少し、平面波よりも高い高次モードがダクト内を伝搬することが可能である。そのような高次モードは、伝搬方向に垂直な平面内で不均一な圧力分布を有する波面で伝搬する。各高次モードは、ダクトの寸法および幾何学的形状に依存する、特定のカットオン周波数を有する。
【０１０５】
たとえば、図20Aは、4つの圧力波腹がダクトの幅を横切って配置構成され、3つの圧力波腹がダクトの高さを横切って配置構成されている、矩形のダクトの特定の高次モードの波面を横切る圧力分布を示している。矢印は、圧力波腹を示しているが、矢印を含むボックスの縁は、圧力波節を画成する。音響エネルギーは、各ボックスの中心を通るダクトの長さに沿って送信することが考慮され得る。
【０１０６】
ダクトの壁内に組み込むことによってリアクティブ型音減衰要素を使用する従来技術のアプローチは、高次モードがダクト内で伝搬するときに、圧力波腹はダクトの壁から遠ざかり得るので、高次モードとして伝搬する減衰する音には効果がない場合がある。したがって、リアクティブ型音抑制要素は、伝搬する高次モードと効果的に相互作用しない。
【０１０７】
しかしながら、本開示による音抑制装置を使用することによって、リアクティブ型音抑制要素は、伝搬する高次モードと効果的に相互作用するように実現され得る。
【０１０８】
特に、ダクトを横切る形で1次元に配置構成されている複数の音抑制装置を実現することによって、リアクティブ型音抑制要素は、波腹の多くがダクト壁から優先的に遠ざかって伝搬する場合に伝搬する高次モードと効果的に相互作用するように実現され得る。いくつかの構成において、音抑制装置は、各音抑制装置の音減衰要素が減衰するように構成される周波数である、注目する特定の周波数の高次モード圧力波腹分布に対応するようにダクト内に配置構成される。いくつかの構成において、音抑制装置は、ダクトを横切って等しい間隔を有するように配置構成される。いくつかの構成において、音抑制装置は、ダクトを横切る2つの垂直な寸法において配置構成され得る。他の構成では、音抑制装置は、ダクトを横切って1次元で細長くされるものとしてよく、その次元で配置構成される高次モードの対応する数の波腹と相互作用する複数の共振空洞を備えることができる。
【０１０９】
各音抑制装置は、高次モードに対するすべての圧力波腹の配置の近くにリアクティブ型音減衰要素開口部を有する高次モードと効果的に相互作用し得る。したがって、たとえば、1次元において、単一の音抑制装置がダクトの中心にあり、開口部は、多くても2つの波腹の近くに配置され得る。したがって、最大2次までの高次モードを効果的に制御することができる。ダクトを横切って隔てて並ぶ2つの音抑制装置を使用することで、開口部は、多くても4つの波腹に配置され得る。したがって、最大4次までの高次モードは、効果的に制御され得る。このアプローチは、音抑制装置およびそれぞれのリアクティブ型音減衰要素の2次元配置構成に一般化され得る。
【０１１０】
図20Aに示されている伝搬する高次モードパターンを再び参照すると、図20Bは、ブリックバッフルの形態で本発明の実施形態である音抑制装置を示しており、各音抑制装置は図20Aの伝搬する高次モードの各波腹位置に置かれており、次いで音抑制装置のリアクティブ型音減衰要素はその周波数を減衰させるように適切に同調し、たとえば、各音抑制装置に組み込まれている共振空洞の高調波である。そのような構成は、図20Aに示されているモードが伝搬することを可能にする周波数を効果的に減衰させることができる。それに加えて、そのような構成は、そのようなモードも共振空洞の高調波に対応するとした場合に、図20Aに示されているのよりも比較的低い次数のモードすべてを含む、他の高次モードを減衰させることもできる。
【０１１１】
代替的構成において、図2を参照しつつすでに説明されているように、各音抑制装置は、たとえば、ダクト内の垂直モードパターンに対応するリアクティブ型音減衰要素の配置構成を実現するように、共振器空洞を、たとえば、垂直に配置構成されている複数の空隙に分割する内部プレートを有する垂直スプリッタバッフルの形態で実現され得る。さらに、たとえば、垂直スプリッタバッフルの形態のそのような音抑制装置は、次いで、たとえば、ダクト内の所望のモードパターンに対応するようにダクトを横切って水平に配置構成されることもあり得る。もちろん、ここでの垂直という用語は、都合のよい基準座標系を与えるために使用されており、バッフルは、ダクト内の適切な配向で配置構成され得る。ダクトが矩形である場合に、ダクトの壁の一方の対向する対に垂直で、壁の他方の対向する対に平行なスプリッタバッフルの配置構成は、上で説明されているように高次モードを制御するのに特に効果的であり得る。
【０１１２】
矩形のダクトの場合、ダクトの壁に最も近い音抑制装置の間に配置構成されている音抑制装置が、リアクティブ型要素による制御の対象となる最高周波数の1波長の間隔で配置構成されるようにすることが効果的であり得る。
【０１１３】
本開示による音抑制装置の配置構成の一アプローチは、リアクティブ型要素が減衰することが望ましい最高周波数を識別し、この周波数で対応する最高のカットオンモードを計算することである。たとえば、リアクティブ型音減衰要素の基本または高調波モードとして、そのモードを減衰させるように同調されているリアクティブ型音減衰要素を有する、音抑制装置は、次いで、そのモードに対応する空間パターンでダクト内に配置構成される。次いで、少なくともその周波数、およびそれ以下のすべての周波数は、効率的に減衰させられる。
【０１１４】
たとえば、2.5m×2.5mの正方形のダクトにおいて、高次モードの伝搬に対するカットオン周波数は、典型的には、100Hz程度である。ダクトの壁内の、基本周波数として31Hzに同調されている従来の共振器を使用することで、共振器は、31Hzおよび31Hzの各倍数の高調波の周波数を減衰させるが、これらの高調波は高次モードに対してカットオン周波数よりも高いので、100Hzよりも高い高調波ではそうするのが不効率になるであろう。対照的に、各々31Hzに同調されているリアクティブ型音減衰要素を有し、二次伝搬モードパターンに対応するようにダクトの中心を横切る配置構成をとる、本開示による一対の音抑制装置を使用することによって、3次伝搬モードパターンに対するカットオン周波数までの高調波は、効果的に制御され、したがって、共振器の業務周波数範囲に及ぶ。この原理は、次第に高くなる高次モードに対して共振器の数および配置構成を変更することによって拡張され得る。
【０１１５】
また、改善された効果に関して、音抑制装置は、注目する周波数に対するダクトの長さに沿って形成された共振モードパターンの最大振幅または波腹点で配置構成され得る。特に、各リアクティブ型音抑制要素の開口部は、ダクトの長さに沿った注目する周波数の圧力波腹点で、またはその近くに配置構成され得る。ダクトの開端が、注目する波長の圧力波節を画成する場合、リアクティブ型音抑制要素の開口部は、この波節に関する注目する波長の圧力波腹、たとえば、ダクトの開端からの注目する周波数に関連する波長の奇数倍数で配置構成され得る。
【０１１６】
さらに、図21に示されているように、2つまたはそれ以上の音抑制装置をダクト内に置くことができ、各音抑制装置のリアクティブ型音減衰要素は異なる共振周波数を吸収するように同調される。図21に示されている構成Aにおいて、図1に示されている、本発明の第1の実施形態による2つの音抑制装置100は、平行になるように設けられている。音吸収体のうちの1つは、ハウジングを他方よりも比較的後方に延在させることによってより長い共振空洞を備える。これは、音抑制装置を異なる周波数に同調させることを可能にし、それによって、より広い範囲の周波数抑制を全体的に達成する。
【０１１７】
図Bに示されているような構成は、第1の音吸収装置400は図4によるものであり、第2の音吸収装置1300は図13によるものであることを除き、図Aの構成と同じ意図を有するものである。図13による装置1300は、共振空洞を短縮する第2の仕切り部材を有する。したがって、同じ全体的寸法を有する音吸収装置に対して、図21の構成Bで示されている音抑制装置1300は、図21の構成Bで示されている音抑制装置400よりも比較的高い周波数を有する。
【０１１８】
図21に示されている構成Cにおいて、2つの音抑制装置が備えられており、一方の音抑制装置100は図1に適合しており、他方の音抑制装置400は図4に適合している。同じ全体的な外部構成に対して、追加の仕切り部材436を有する音抑制装置400は、比較的長い共振空洞および比較的低い共振周波数を有する。
【０１１９】
図22は、125Hzに同調されている共振空洞を有する図4に示されているような音抑制装置と比較されている図25に示されているような通常の吸音型バッフル(dissipative baffle)を含むダクトの間の音抑制能力の比較を示している。図23を見るとわかるように、共振器は、125Hzの追加の共振吸収ピークを備えるが、200から3000Hzの間の広帯域性能の一般的な増強にも寄与し、その結果、バッフルを通り過ぎる空気流に対する著しい追加の不利な効果を生じることなく、全体的にかなり改善された性能をもたらす。
【０１２０】
図23は、図25に示されているような一対の通常の吸音型バッフルと図4による一対の音抑制装置との間の比較を示しており、その一方は175Hzの特性周波数に同調され、他方は175Hz共振器から1/3オクターブ離れている、250Hzの特性周波数に同調される。図23の構成において、全体的に著しく高められた広帯域性能は、従来の吸音型バッフルと比較されたとおりに達成される。
【０１２１】
抵抗型音減衰要素およびリアクティブ型音減衰要素の両方が本明細書で開示されているように単一の音抑制装置内に設けられているときに、抵抗型音減衰要素およびリアクティブ型音減衰要素は両方とも、装置の外面を通るガス流と相互作用することができる。抵抗型音減衰要素およびリアクティブ型音減衰要素は、抵抗型またはリアクティブ型要素だけから予期される個別の寄与分を超える音抑制性能が得られるようにこのガス流に対する相互作用効果をもたらす。
【０１２２】
仮説によって拘束されることを望まずに、特定の低周波数を低減することを比較的効率的に行える、リアクティブ型要素は、非平面的であり、比較的大きい高次モード成分を有する音波を含むガス流にあまり効率よく作用し得ないと現在考えられている。高次モードを基本モードに比べてより容易に減衰する、抵抗型要素の実現は、ダクト内で伝搬する高次モードを低減することができ、したがって、比較的より理想的な条件の下でリアクティブ要素を動作させることが可能である。そのような効果は、リアクティブ型要素が抵抗型要素の下流に置かれているときに、リアクティブ型要素は、圧力極小値、したがって速度極大値を発生することができるので、抵抗型要素の配置に関するガス流の方向で下流に配置されているときに特に達成可能である。この速度極大値は、吸音型要素の減衰を高めると信じられている。
【０１２３】
さらに、抵抗型およびリアクティブ型要素は、装置の共通の外面を介してガス流と相互作用し、装置の空気力学的特性は、全体として、通るガス流への望ましくない途絶を最小限度に抑えながら音抑制性能の向上をもたらすように選択され得る。そのような構成は、リアクティブ型要素と抵抗型要素との間のガス流中に途絶させる要素が設けられていないので、リアクティブ型要素および抵抗型要素の相乗効果をさらに高めることができる。それに加えて、そのような構成は、ダクト内の流速を無駄に増大させることを回避することができ、したがって、さらなる流れの騒音発生および望ましくない圧力低下を回避することができる。
【０１２４】
最後に、リアクティブ型要素の高次高調波は、リアクティブ型要素に関連する中間周波数範囲の低周波減衰における全体的な減衰を改善するかなりの効果を有し得る。
【０１２５】
本開示の教示を適用する際に、普通の用途に関しては、空気力学的および層流の流れを達成するように音抑制装置の寸法および幾何学的形状を調整するとき、および所望の周波数を達成するためにリアクティブ型音減衰要素の寸法および幾何学的形状を調整するときに、ガスが標準的な温度および圧力下にある、すなわち、温度が25℃および圧力が100kPaであり、50m/sで流れている空気であるということが仮定され得る。しかしながら、本開示は、限定することなく、他の条件の下で他のガスの流れにも適用され得る。
【０１２６】
典型的なガスタービン用途向けのダクトを設けるときに、それらのダクトは、1mから9mの間の最大断面寸法を有すると考えられ得るが、本開示は、限定することなく、他のダクト構成にも適用され得る。
【０１２７】
本発明の実施形態は、比較的容易に既存のダクトに適合させることができ、ダクトそれ自体の寸法、重量、または複雑度を増大させることなく新しいプロジェクトへの設置のための標準化されたダクト寸法に対応するように製造され得る。さらに、機器性能の変化、機器の交換、または規制基準の変更が既存のダクティングの音抑制能力の変更を必要とする場合に、本発明の実施形態は、改造による効果的な解決方法となり得る。本発明の実施形態は、改善された音抑制性能をもたらしながら、容積の占有および流れ抵抗が抵抗型バッフルと比べて著しく大きくならないように製造され得る。
【０１２８】
当然のことながら、当業者であれば、当技術分野において利用可能であるような材料および技術を使用することで、過度の実験を行うことなく本開示を様々な状況に適応させ、当業者の持つ特定のエンジニアリング要件に適合する解決方法を達成することができるであろう。
【０１２９】
したがって、上で説明されている実施形態は、本発明を制限するものとして見られるべきでなく、単なる例としてみなされるべきである。したがって、本発明の範囲は、付属の請求項によって定められる。
【符号の説明】
【０１３０】
100  音抑制装置
110  抵抗型音抑制材料
120  キャップ部分
130  ハウジング
131a、131b  穿孔部分
132  直線部分
132a、132b  真っ直ぐな側壁
132c  上流端面
133  テーパー部分
133a、133b  テーパー側壁
133c  後端面
134  共振空隙/内部空洞
134a、134b、134c  空隙
139a、139b  仕切り板
310  抵抗型音吸収要素
330  ハウジング
331a、331b  穿孔部分
332a、332b、332c  壁
333a、333b  壁
333c  後端壁
334  空隙
335  抵抗型音吸収材料/多孔質吸収材料
400  装置
430  ハウジング
431a、431b  穿孔開口部
432a  仕切り部材/第1の真っ直ぐな側壁
432b  第2の真っ直ぐな側壁
432c  前縁壁/穿孔パネル
432d  穿孔パネル
433a、433b  テーパー壁
433c  後端壁/後縁壁
433e  後縁壁
434  空隙
434d、434e  部分
434f  開口
436  仕切り部材/L字型仕切り部材
437a  頂部プレート
437b  底部プレート
600  音抑制装置
610a、610b  プレート
611  支持部材
611a、612a  表面
710a、710b  抵抗型音吸収材料
711a、712a  側壁
720  エンドキャップ
730  ハウジング
731a、731b  穿孔部分
732c  壁
732d  壁
733  テーパー付き部分
733a、733b  壁
734  空隙
800  音抑制装置
900  音抑制装置
920  エンドキャップ
912  支持部材
912a、912b、912c  壁
921  空隙
930  ハウジング
931a、931b  穿孔開口部
934  密閉空間
1010  多孔質材料
1130  ハウジング
1131a、1131b  穿孔開口部
1133a、1133b  テーパー付き壁
1134  空隙
1136  仕切り部材
1230  ハウジング
1231  穿孔開口部
1233c  後部端壁
1234  空隙
1236  仕切り部材
1300  第2の音吸収装置
1330  ハウジング
1331a、1331b  穿孔開口部
1333c  後部端壁
1333e  仕切り部材
1334  共振空隙
1336  空隙
1400  音抑制装置
1430  ハウジング
1432a  壁
1432v  端壁
1433a  テーパー付き壁
1433b  テーパー付き壁
1433c  後端壁
1434  共振空洞
1434a、1434b  L字型仕切り部材
1436a、1436b  仕切り部材
2500  バッフル
2510  抵抗型音吸収材料
2520  キャップ部分
2530  フェアリング部分
【図１】
0006640853.tif 000002
【図２】
0006640853.tif 000003
【図３】
0006640853.tif 000004
【図４】
0006640853.tif 000005
【図５】
0006640853.tif 000006
【図６】
0006640853.tif 000007
【図７】
0006640853.tif 000008
【図８】
0006640853.tif 000009
【図９】
0006640853.tif 000010
【図１０】
0006640853.tif 000011
【図１１】
0006640853.tif 000012
【図１２】
0006640853.tif 000013
【図１３】
0006640853.tif 000014
【図１４】
0006640853.tif 000015
【図１５】
0006640853.tif 000016
【図１６】
0006640853.tif 000017
【図１７】
0006640853.tif 000018
【図１８】
0006640853.tif 000019
【図１９Ａ】
0006640853.tif 000020
【図１９Ｂ】
0006640853.tif 000021
【図１９Ｃ】
0006640853.tif 000022
【図１９Ｄ】
0006640853.tif 000023
【図１９Ｅ】
0006640853.tif 000024
【図２０Ａ】
0006640853.tif 000025
【図２０Ｂ】
0006640853.tif 000026
【図２１Ａ】
0006640853.tif 000027
【図２１Ｂ】
0006640853.tif 000028
【図２１Ｃ】
0006640853.tif 000029
【図２２】
0006640853.tif 000030
【図２３】
0006640853.tif 000031
【図２４Ａ】
0006640853.tif 000032
【図２４Ｂ】
0006640853.tif 000033
【図２４Ｃ】
0006640853.tif 000034
【図２４Ｄ】
0006640853.tif 000035
【図２４Ｅ】
0006640853.tif 000036
【図２４Ｆ】
0006640853.tif 000037
【図２５】
0006640853.tif 000038